【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
ターボ機械の回転エーロフォイルの構成要素であって、前記構成要素は、前記構成要素の翼幅方向に位置合わせされるエーロフォイル部分、シャンク部分、およびそれらの間に在って前記翼幅方向に対して横方向に配向されるプラットフォームを含む、回転エーロフォイルの構成要素において、前記プラットフォームは、
前記エーロフォイル部分に隣接した半径方向の外側表面であって、前記半径方向の外側表面は、前記ターボ機械中に設置されたとき流れ方向に流れるガス流に晒されるように前記ターボ機械中に設置されたとき、ガス流経路の半径方向の内側境界を画定するように適合させる、半径方向の外側表面と、
前記シャンク部分に隣接し、前記半径方向の外側表面から対向する側に配置される半径方向の内側表面と、
前記半径方向の外側表面と前記半径方向の内側表面の間の前記翼幅方向の横断面と、
対向する側に配置される第１および第２の端壁であって、前記端壁のそれぞれが、前記半径方向の外側表面と前記半径方向の内側表面の間に在って、それらと隣接し、そして前記流れ方向におおよそ位置合わせされる、第１および第２の端壁と、
前記半径方向の外側表面中の少なくとも１つの第１の窪んだ領域であって、前記第１の窪んだ領域は、プラットフォーム平面から前記翼幅方向と反対のシャンク方向に延び、前記プラットフォーム平面は、前記第１の窪んだ領域から前記流れ方向に反対の上流方向において前記半径方向の外側表面の上流部分を含み、かつ、また、前記第１の窪んだ領域から前記流れ方向において前記半径方向の外側表面の下流部分を含み、前記第１の窪んだ領域は、前記第１の端壁と隣接し、そこから前記エーロフォイル部分に向けて延び、前記第１の窪んだ領域は、前記シャンク方向で見たとき、表面形状を画定し、前記第１の窪んだ領域は、前記流れ方向に対して横方向にプロフィール形状を画定し、そして前記第１の端壁から前記エーロフォイル部分に向けて延びる、少なくとも１つの第１の窪んだ領域と、
を含み、
前記第１の窪んだ領域の前記プロフィール形状は、前記第１の端壁から前記エーロフォイル部分に向けて延びる、連続的な平面的プロフィール形状である、
回転エーロフォイルの構成要素。
【請求項２】
前記第１の窪んだ領域と前記半径方向の内側表面の相補部分の間の前記プラットフォームの前記横断面がおおよそ一様な厚さを有するように、前記半径方向の内側表面の前記相補部分は、前記第１の窪んだ領域の前記プロフィール形状に対して相補的であるプロフィール形状を有する、請求項１に記載の回転エーロフォイルの構成要素。
【請求項３】
前記第１の窪んだ領域の前記プロフィール形状は、前記第１の端壁から前記エーロフォイル部分に向けて延びる、連続的な弧状で凹状のプロフィール形状である、請求項１に記載の回転エーロフォイルの構成要素。
【請求項４】
前記第１の窪んだ領域と前記半径方向の内側表面の相補部分の間の前記プラットフォームの前記横断面が、おおよそ一様な厚さを有するように、前記半径方向の内側表面の前記相補部分は、前記第１の窪んだ領域の前記連続的な弧状で凹状のプロフィール形状に対して相補的である連続的な弧状で凸状のプロフィール形状を有する、請求項３に記載の回転エーロフォイルの構成要素。
【請求項５】
前記第１の窪んだ領域と前記半径方向の内側表面の相補部分の間の前記プラットフォームの前記横断面が、おおよそ一様な厚さを有するように、前記半径方向の内側表面の前記相補部分は、前記第１の窪んだ領域の前記連続的な平面的プロフィール形状に対して相補的である連続的な平面的プロフィール形状を有する、請求項１に記載の回転エーロフォイルの構成要素。
【請求項６】
前記第１の窪んだ領域の前記表面形状は、前記プラットフォーム平面によって囲まれる境界を有し、前記境界は、前記半径方向の外側表面の前記上流部分に隣接して位置決めされる上流境界部分で、前記第１の端壁からもっとも遠くに延びる、請求項１に記載の回転エーロフォイルの構成要素。
【請求項７】
前記第１の窪んだ領域の前記表面形状は、前記プラットフォーム平面によって囲まれる境界を有し、前記境界は、前記半径方向の外側表面の前記上流部分と前記下流部分の中間に位置決めされる中間の境界部分で、前記第１の端壁からもっとも遠くに延びる、請求項１に記載の回転エーロフォイルの構成要素。
【請求項８】
前記第１の窪んだ領域の前記表面形状は、前記プラットフォーム平面によって囲まれる境界を有し、前記境界は、前記半径方向の外側表面の前記下流部分に隣接して位置決めされる下流境界部分で、前記第１の端壁からもっとも遠くに延びる、請求項１に記載の回転エーロフォイルの構成要素。
【請求項９】
前記第１の窪んだ領域は、前記プラットフォームの横断面の厚さの２０％〜１００％である前記プラットフォーム平面からの最大の範囲を有する、請求項１に記載の回転エーロフォイルの構成要素。
【請求項１０】
前記半径方向の外側表面中に第２の窪んだ領域をさらに含み、
前記エーロフォイル部分は、前記第１の窪んだ領域と前記第２の窪んだ領域の間に在り、
前記第２の窪んだ領域は、前記プラットフォーム平面から前記シャンク方向に延び、
前記第２の窪んだ領域は、前記第２の端壁と隣接し、そこから前記エーロフォイル部分に向けて延びる、請求項１に記載の回転エーロフォイルの構成要素。
【請求項１１】
前記構成要素は、地上設置式ガスタービンエンジンのタービンバケットである、請求項１に記載の回転エーロフォイルの構成要素。
【請求項１２】
地上設置式ガスタービンエンジンのバケットであって、前記バケットは、前記バケットの翼幅方向に位置合わせされるエーロフォイル部分、シャンク部分、およびそれらの間に在って、前記翼幅方向に対して横方向に配向されるプラットフォームを含む、バケットにおいて、前記プラットフォームは、
前記エーロフォイル部分に隣接した半径方向の外側表面であって、前記半径方向の外側表面は、前記ガスタービンエンジン中に設置されたとき流れ方向に流れるガス流に晒されるように前記ガスタービンエンジン中に設置されたとき、ガス流経路の半径方向の内側境界を画定するように適合させる、半径方向の外側表面と、
前記シャンク部分に隣接し、前記半径方向の外側表面から対向する側に配置される半径方向の内側表面と、
前記半径方向の外側表面と前記半径方向の内側表面の間の前記翼幅方向の横断面と、
対向する側に配置される第１および第２の端壁であって、前記端壁のそれぞれが、前記半径方向の外側表面と前記半径方向の内側表面の間に在って、それらと隣接し、そして前記流れ方向におおよそ位置合わせされる、第１および第２の端壁と、
前記半径方向の外側表面中の少なくとも１つの第１の窪んだ領域であって、前記第１の窪んだ領域は、プラットフォーム平面から前記翼幅方向と反対のシャンク方向に延び、前記プラットフォーム平面は、前記第１の窪んだ領域から前記流れ方向に反対の上流方向において前記半径方向の外側表面の上流部分、前記第１の窪んだ領域から前記流れ方向において前記半径方向の外側表面の下流部分、および前記第１の窪んだ領域と前記エーロフォイル部分の間に前記半径方向の外側表面の一部分を含み、前記第１の窪んだ領域は、前記第１の端壁と隣接し、そこから前記エーロフォイル部分に向けて延び、前記第１の窪んだ領域は、前記シャンク方向で見たとき、表面形状を画定し、前記表面形状は、前記プラットフォーム平面によって囲まれる境界を有し、前記第１の窪んだ領域は、前記流れ方向に対して横方向にプロフィール形状を画定し、そして前記第１の端壁から前記エーロフォイル部分に向けて延びる、少なくとも１つの第１の窪んだ領域と、
前記半径方向の内側表面の相補部分であって、前記第１の窪んだ領域と前記相補部分の間の前記プラットフォームの前記横断面が、おおよそ一様な厚さを有するように、前記相補部分は、前記第１の窪んだ領域の前記プロフィール形状に対して相補的であるプロフィール形状を有する、相補部分と、
を含み、
前記第１の窪んだ領域と前記相補部分の間の前記プラットフォームの前記横断面が、おおよそ一様な厚さを有するように、前記第１の窪んだ領域の前記プロフィール形状は、前記第１の端壁から前記エーロフォイル部分に向けて延びる、連続的な平面的プロフィール形状であり、かつ前記半径方向の内側表面の前記相補部分は、前記第１の窪んだ領域の前記連続的な平面的プロフィール形状に対して相補的である連続的な平面的プロフィール形状を有する、
バケット。
【請求項１３】
前記第１の窪んだ領域と前記相補部分の間の前記プラットフォームの前記横断面が、おおよそ一様な厚さを有するように、前記第１の窪んだ領域の前記プロフィール形状は、前記第１の端壁から前記エーロフォイル部分に向けて延びる、連続的な弧状で凹状のプロフィール形状であり、かつ前記半径方向の内側表面の前記相補部分は、前記第１の窪んだ領域の前記連続的な弧状で凹状のプロフィール形状に対して相補的である連続的な弧状で凸状のプロフィール形状を有する、請求項１２に記載のバケット。
【請求項１４】
前記第１の窪んだ領域の前記表面形状の前記境界は、前記半径方向の外側表面の前記上流部分に隣接して位置決めされる上流境界部分で、前記第１の端壁からもっとも遠くに延びる、請求項１２に記載のバケット。
【請求項１５】
前記第１の窪んだ領域の前記表面形状の前記境界は、前記半径方向の外側表面の前記上流部分と前記下流部分の中間に位置決めされる中間の境界部分で、前記第１の端壁からもっとも遠くに延びる、請求項１２に記載のバケット。
【請求項１６】
前記第１の窪んだ領域の前記表面形状の前記境界は、前記半径方向の外側表面の前記下流部分に隣接して位置決めされる下流境界部分で、前記第１の端壁からもっとも遠くに延びる、請求項１２に記載のバケット。
【請求項１７】
前記第１の窪んだ領域は、前記プラットフォームの横断面厚さの２０％〜１００％である前記プラットフォーム平面からの最大の範囲を有する、請求項１２に記載のバケット。
【請求項１８】
前記半径方向の外側表面中に第２の窪んだ領域をさらに含み、
前記エーロフォイル部分は、前記第１の窪んだ領域と前記第２の窪んだ領域の間に在り、
前記第２の窪んだ領域は、前記プラットフォーム平面から前記シャンク方向に延び、
前記第２の窪んだ領域は、前記第２の端壁と隣接し、そこから前記エーロフォイル部分に向けて延びる、
請求項１２に記載のバケット。